(57)【要約】【課題】　葬祭参列者に弔意を述べる機会を与え、この長短不確定の弔意音声を記録媒体へ弔辞集編集、またこの弔意音声を葬祭運営演出に活用できるように許容短時間に編集・加工を実行する方法と装置を開発し、葬祭運営業者の業績向上に資する手段を提供する。【解決手段】　収録した弔意音声の所要時間を累計し記録媒体の容量時間との対比に基き、記録媒体の容量に対応させて弔辞集を編集する。また葬祭進行に割り当てられた弔意放送許容時間に対応させて加工・編集して、葬祭の進行段階に応じて弔意音声を放送出力する。【選択図】　　　　図１
2004055133.tif 000002
【特許請求の範囲】
【請求項１】
多数の葬祭参加者の弔意音声とその音声個々の所要時間とを収録・計時し、上記所要時間の累計に基ずいて弔辞集用記録媒体の時間容量に対応させた長さに編集して弔辞集用記録媒体に弔辞集として編集出力することを特徴とする葬祭運営用の音声情報処理装置。
【請求項２】
葬祭参加者の弔意言語音声収録時に収録音声の弔辞集への登録の可否を選定する手段を備えたことを特徴とする請求項１記載の葬祭運営用の音声情報処理装置。
【請求項３】
多数の葬祭参加者の弔意音声とその音声個々の所要時間とを収録・計時し、上記所要時間の累計に基ずき葬祭の進行に割り当てられた上記弔意音声放送許容時間に対応させて加工・編集して、葬祭の進行段階に応じて弔意音声を放送出力することを特徴とする葬祭運営方法。
【請求項４】
故人と個別に対面する感じに演出した区画を設け、この区画内で参加者が弔意言語音声を収録するようにしたことを特徴とする請求項１、２記載の葬祭運営用の音声情報処理装置および請求項３記載の葬祭運営方法。
【請求項５】
弔意音声の加工・編集ルールは、少なくとも弔意音声の累計時間と弔意音声放送許容時間とを対比するステップと、この対比結果が弔意音声累計時間＜弔意音声放送許容時間のときは収録している弔意音声の一部を繰り返し使用し弔意音声放送許容時間を充足編集するステップとからなる請求項３記載の葬祭運営方法。
【請求項６】
弔意音声の加工・編集ルールは、少なくとも弔意音声の累計時間と弔意音声放送許容時間とを対比するステップと、この対比結果が弔意音声累計時間＞弔意音声放送許容時間のときは弔意音声累計時間／弔意音声放送許容時間の比率に対応させて個々の音声時間を縮減編集して全体の弔意音声放送を上記弔意音声放送許容時間にそろえて編集するステップとからなる請求項３記載の葬祭運営方法。
【請求項７】
弔意音声の加工・編集ルールは、弔意音声累計時間／弔意音声放送許容時間の比率が２以上のときは複数の異なる編集にして、これを複数の放送装置から同時放送出力することを特徴とする請求項６記載の葬祭運営方法。
【請求項８】
弔意音声の加工・編集ルールは、弔意音声の累計時間と弔意音声放送許容時間とを対比するステップと、この対比結果の弔意音声累計時間／弔意音声放送許容時間が所定値を超えるときは、個々の弔意音声の最初から決めた音声長時間を放送確保して、個々の弔意音声から上記放送確保時間を除いた部分を縮減編集して全体の弔意音声放送を上記弔意音声放送許容時間にそろえて編集するステップとからなる請求項7記載の葬祭運営方法。
【請求項９】
弔意音声の加工・編集ルールに、個々の弔意音声の後部を漸消音して故人を偲ぶ効果を高めるフェードアウト加工のステップを含むことを特徴とする請求項１記載の音声情報処理装置および請求項５〜８記載の葬祭運営方法。
【請求項１０】
弔意音声の加工・編集における編集パラメータである時間、数量が予め設定でき、かつ編集途中で変更入力が可能としたことを特徴とする請求項１記載の音声情報処理装置および請求項５〜９記載の葬祭運営方法。
【発明の詳細な説明】
【技術分野】
【０００１】
　本発明は、葬祭参加者の弔意音声を収録・編集・再生する葬祭運営方法および装置に関するものである。
【背景技術】
【０００２】
　葬祭運営業者がその業績を伸ばす手段の新たな視点として、葬祭参加者夫々が主体的に関わることができる葬祭運営方法の採用が有効であるが、この視点で従来の葬祭運営方法を見ると、
　従来の葬祭運営方法において、葬祭参加者が音声で弔意を表現する方法としては、一般的には、弔辞を述べる、或いは読経や鎮魂歌に参加する運営方法がある。
　例えば、関連事例として葬祭運営にインターネットにより伝達された弔意情報を使用する方法、例えば特許文献１に示される「インターネットによる追悼メッセージ伝達方法」がある。
　また、コンピュータを用いた音声の編集装置、方法として特許文献２「編集装置、方法、記録媒体」がある。更に葬祭方法として、特許文献３「葬儀方法」がある。
　また、コンピュータを用いたスケジュール管理として特許文献４「スケジュールの進捗管理方法、スケジュール管理装置、スケジュール作成方法およびスケジュール管理用ＣＤＲＯＭ」がある。
【特許文献１】特開２００２−９２１９９号公報
【特許文献２】特開２００１−３１８６７０号公報
【特許文献３】特許第２９１２５９７号公報
【特許文献４】特開２０００−２９９４１号公報
【発明の開示】
【発明が解決しようとする課題】
【０００３】
　従来の葬祭運営方法において、参加者が自分の音声で弔意を表わす手段としている弔辞は特定参加者にだけに機会がある手段であり、読経や鎮魂歌への参加は既定の文言を音声にする参加であって、一般参加者が自己の弔う想いの言葉を音声で表出する機会はないと言う課題がある。更に、前述の関連事例である特開２００２−９２１９９号公報に示されたものは、弔意を現す文字と映像を葬儀場に映し出す葬祭運営法であり、また特開２００１−３１８６７０号公報に示されたものは、既成の音楽を再編集するためのもの、また特許第２９１２５９７号公報では故人のスライドとビデオ映像を葬儀中に映写する葬儀方法であり、更に、特開２０００−２９９４１号公報はコンピュータを用いたイベント等のスケジュール管理の方法・装置であるが、時間の調整に既知のデータベースを選択使用するもので参列者の音声表出は無い。
　これら従来の葬祭運営は、一般葬祭参加者にとっては、予め設定された葬祭演出の映像や音楽等を視聴したり読経や焼香等の所定行動に参画したりと、弔意音声の表出機会も含めて、参列者として他動的に所定の葬儀運営に従う参加である。
　また、コンピュータによる事例を適用した葬祭運営を行うとしても、入力される既成の映像、文字、音楽等を記録、編集、管理するものであり、参列者にとっては他動的な参加であることに変わりはなく、自分の言葉の音声表出するものではない。
【０００４】
　本発明は、葬祭参加者の弔意言語音声を表出できる葬儀運営を提供することで、従来と異なる視点での運営評価の高い葬祭運営方法を目指し、葬祭の参加者が任意に夫々自己の弔う想いの言葉を音声表現できる葬祭運営であり、参加者が自分の気持ちのこもった声で故人を見送った弔意音声を纏めて弔辞集とし、参列者の弔意が遺族へ届くようにする。
【０００５】
　また、更にこの音声を編集、加工して葬祭運営中に放送し、参加者が自分の気持ちのこもった声で故人を見送ったと感じることのできる葬祭運営方法と装置を提供する。この放送のために葬祭運営中の限られた時間内に不確定数の弔辞やその弔辞の長さの音声に即応して音声を編集、加工できる装置を提供する。
【０００６】
　また、弔意の言葉は故人ヘの想いを他人に煩わされずに述べる環境作りも必要である。そのため弔辞入録時に、参列者が入録に集中できる工夫や、弔辞集へ登録の諾否、など弔意音声の扱い方を各自で選択できること、弔意入録時に音声が他所に漏洩しないように防止を図る等の配慮、また、演出を厳粛にしめやかに行うための音声の加工・変換等も考慮する必要であり、そのための設備装置と葬祭運営方法を提供する。
【課題を解決するための手段】
【０００７】
第１の発明は、多数の葬祭参加者の弔意音声とその音声個々の所要時間とを収録・計時し、上記所要時間の累計に基ずいて弔辞集用記録媒体の時間容量に対応させた長さに編集して弔辞集用記録媒体に弔辞集として編集出力することを特徴とする葬祭運営用の音声情報処理装置である。
第２の発明は、葬祭参加者の弔意言語音声収録時に収録音声の弔辞集への登録の可否を選定する手段を備えたことを特徴とする発明１に示す葬祭運営用の音声情報処理装置である。
第３の発明は、多数の葬祭参加者の弔意音声とその音声個々の所要時間とを収録・計時し、上記所要時間の累計に基ずき葬祭の進行に割り当てられた上記弔意音声放送許容時間に対応させて加工・編集して、葬祭の進行段階に応じて弔意音声を放送出力することを特徴とする葬祭運営方法である。
【０００８】
第４の発明は、故人と個別に対面する感じに演出した区画を設け、この区画内で参加者が弔意言語音声を収録するようにしたことを特徴とする発明１、２に示す葬祭運営用の音声情報処理装置および発明３に示す葬祭運営方法である
第５の発明は、弔意音声の加工・編集ルールは、少なくとも弔意音声の累計時間と弔意音声放送許容時間とを対比するステップと、この対比結果が弔意音声累計時間＜弔意音声放送許容時間のときは収録している弔意音声の一部を繰り返し使用し弔意音声放送許容時間を充足編集するステップとからなる発明３に示す葬祭運営方法である
第６の発明は、弔意音声の加工・編集ルールは、少なくとも弔意音声の累計時間と弔意音声放送許容時間とを対比するステップと、この対比結果が弔意音声累計時間＞弔意音声放送許容時間のときは弔意音声累計時間／弔意音声放送許容時間の比率に対応させて個々の音声時間を縮減編集して全体の弔意音声放送を上記弔意音声放送許容時間にそろえて編集するステップとからなる発明３に示す葬祭運営方法である。
【０００９】
第７の発明は、弔意音声の加工・編集ルールは、弔意音声累計時間／弔意音声放送許容時間の比率が２以上のときは複数の異なる編集にして、これを複数の放送装置から同時放送出力することを特徴とする発明６に示す葬祭運営方法である。
第８の発明は、弔意音声の加工・編集ルールは、弔意音声の累計時間と弔意音声放送許容時間とを対比するステップと、この対比結果の弔意音声累計時間／弔意音声放送許容時間が所定値を超えるときは、個々の弔意音声の最初から決めた音声長時間を放送確保して、個々の弔意音声から上記放送確保時間を除いた部分を縮減編集して全体の弔意音声放送を上記弔意音声放送許容時間にそろえて編集するステップとからなる発明7に示す葬祭運営方法である。
第９の発明は、弔意音声の加工・編集ルールに、個々の弔意音声の後部を漸消音して故人を偲ぶ効果を高めるフェードアウト加工のステップを含むことを特徴とする発明１に示す音声情報処理装置および発明５〜８に示す葬祭運営方法である。
第１０の発明は、弔意音声の加工・編集における編集パラメータである時間、数量が予め設定でき、かつ編集途中で変更入力が可能としたことを特徴とする発明１に示す音声情報処理装置および発明５〜９に示す葬祭運営方法である。
【発明の効果】
【００１０】
本発明は、以上のような構成の葬祭運営方法および装置であり、以下に記載のような効果を奏する。
【００１１】
　葬祭参加者が個々に述べる弔意言葉の音声を入録し、この入録した弔意音声を、記録媒体の記録容量時間編集して弔辞集にして遺族に残す。また、葬祭の所定の段階で放送できるように放送許容時間長に編集するので、音声弔意を希望する全ての葬祭参加者の弔意を弔辞集、あるいは弔意音声を葬祭演出に活用することができる。
【００１２】
　葬祭参加者全員に故人に対する想いの言葉を述べる機会を与え、これを編集して弔辞集および葬祭の所定の段階で弔意音声放送できるようにしたので、これまでの葬祭運営より葬祭演出効果が高まり、葬祭に参列することに意義と満足感が得られる葬祭とできる。すなわち、葬祭参加者からよい葬式であったとの評価を得、葬祭主も満足できる葬祭を提供することで、葬祭業者にとっての有力な営業活動と業績を向上させる業務手段を提供することができる。
【発明を実施するための最良の形態】
【００１３】
　本発明は以下の実施例のように実施される。
【実施例１】
【００１４】
　図１はこの発明の実施 例1の葬祭運営用の音声情報処理装置の構成を示すブロック図、図２は弔意音声データファイルの構成を示す図である。
　まず、葬祭参加者は、故人の遺影等が飾られ、参加者が故人と個別に対面できる感じに演出され、音声が他所へ漏れないような遮音構造になった葬祭場内に設けられた区画内において、故人への「お別れの言葉」例えば、「安らかにお休み下さい」「お世話になりました」等各人夫々自分の弔意音声の言葉を、区画内に設置された入力装置であるマイクロフォン１から収録する。区画およびマイクロフォン１は参加者の人数に対応させて複数設置する。
　このお別れの言葉の収録は、参加者全員に任意で故人への弔辞を述べる機会を提供するものである。
【００１５】
　お別れの言葉の収録は、参加者が入録用マイクロフォン１を取り上げるとスイッチオンとなり収録を始め、マイクロフォン１を置くとスイッチオフとなり、マイクロフォン１のスイッチに連動した信号により、弔意音声のスタート、エンド符号を印付けるとともに弔意音声の一言の収録終了となる。また、参加者各人が入録する時に「お別れの言葉」を、後述の弔意音声放送、弔辞集の参画を選択ボタン３から指定できるようになっている。これは、故人への弔意は述べたいが遺族に聞かれたくない場合等の運営である。
【００１６】
　この一言の収録音声とスイッチのオン・オフ信号及び弔辞集・放送への参加可否が収録音声毎に録音装置２ヘ収録される。複数の録音装置２に収録されたお別れの言葉は参加者全員の収録後に音声情報処理装置１０の弔意音声データファイル１１へ図２の形式に一元的に纏められる。音声情報処理装置１０はＣＰＵを備え、プログラムによる演算処理が可能なものである。
【００１７】
　また、都合で葬祭に参集できない者からの個々の弔意言語音声である電話や、録音媒体（磁気テープ等）に録音して送付された言葉も、補助入力装置４を経由して同様に弔意音声データファイル１１へ追加収録する。
　弔意音声データファイル１１は図２に示すように一言音声と、スイッチのオン・オフ信号から計時した一言音声の所要時間及び弔辞集・放送への参加可否が順次に収録される。弔意音声データファイル１１としてはＩＣ音声記憶素子、マルチトラックレコーダ（マルチトラックレコーダについては引例特開２００１−３１８６７０参照）等が適用される。
【００１８】
　葬祭運営者は、遺族が故人の人生をしのぶ、縁（よすが）とするように参列者の弔辞用の「お別れの言葉」を纏めて編集し弔辞集として遺族に手渡す。弔意音声データファイル１１の弔意音声を弔辞集として記録媒体５に編集出力する際に、弔意音声を単純に逐次に並べる方法では長大となるが、記録媒体５の記録容量内で収録が終了させるる必要がある。
【００１９】
　次に、弔辞集の編集について図３のフローチャート、図４の編集模式図を用いて説明する。弔辞集編集の処理プログラムは音声情報処理装置１０のＣＰＵに付随する弔辞集編集プログラム１２に格納されている。弔辞集の作成に当たり準備した記録媒体５の種類（磁気テープ、ＣＤ等）およびその記録容量時間Ｓと、再生したときに故人を偲ぶ縁（よすが）となる囁くような音声感の音量や音調等の弔辞集編集条件、編集パラメータ等をキーボード１４から入力設定する。入力された集編集条件、編集のパラメータはパラメータ記憶部１５として記憶される（ステップ301）。弔意音声データファイル１１に収録された弔意音声で弔辞集へ参画要の音声時間を集計し累計音声時間Ｌを求め、記録容量時間Ｓと対比して、超過比率ｈ＝（累計音声時間Ｌ）／（記録容量時間Ｓ）を求める（ステップ302,303）。
【００２０】
　超過比率ｈ＜１．０のときは記録容量時間Ｓ＞累計音声時間Ｌであり弔辞集へ編集予定の全弔意音声は記録媒体５にすべて記録可能であり弔辞集編集作業に進む。超過比率ｈ＞１．０の場合は累計音声時間Ｌが記録容量時間Ｓを超過しているので超過度により、記録容量の大きい記録媒体に変更するか、弔意音声の一部を棄却して収録するかを判定する（ステップ304，305）。
　全弔意音声をそのまま収録することを主に運営する場合には長大な記録媒体への編集となる。記録媒体の変更と共に弔辞集編集条件と件の設定変更をして、変更後の条件と件の設定とで超過度が再判定されるので超過比率ｈ＜１．０となる容量の記録媒体を再準備させる（ステップ306）。この場合複数の記録媒体へ編集もあり得る。
【００２１】
　しかしながら、限られた容量の記録媒体に全員の弔意音声を編集したいこともある。このときは記録媒体の容量に対応させて各弔意音声を縮減編集する。この縮減編集は参列者の「お別れの言葉」の故人をしのぶ、縁(よすが)への影響の小さい弔意音声の後端部分を棄却して全員の弔意音声を限られた容量の記録媒体５に収容させる。このとき、各弔意音声の棄却部分が過大にならないようにするために、棄却限界をステップ301で設定する編集パラメータ中に設け、棄却限界以下になるようにしている。棄却限界は上記超過比率ｈを利用して判断する。例えば棄却限界＝１．３とパラメータ設定したときは超過比率ｈが１．０＜ｈ＜１．３の範囲では縮減編集を実行する（ステップ309）。超過比率（棄却限界）ｈ＞１．３のときは容量の大きい記録媒体５に変更するか、多少各弔意音声の棄却部分がパラメータ設定より多くなるが、そのままの記録媒体５を使用できるように棄却限界のパラメータを変更設定する（ステップ307、308）。
【００２２】
　ステップ309の縮減編集について図４を用いて詳細説明をする。弔意音声データファイル１１に収録された弔意音声の各所要時間（Ａ氏の言葉＝Ｔａ、Ｃ氏の言葉＝Ｔｃ・・・）各個を、ステップ303にて求めた超過比率ｈで除算して、弔辞集への編集許容時間（ｔａ＝Ｔａ／ｈ、ｔｃ＝Ｔｃ／ｈ・・・）を定める。
そして、各弔意音声に付けられている音声スタート印を基準に各弔意音声の先頭から各編集許容時間分の言葉の位置まで残存させ、各弔意音声の編集許容時間以降が棄却され、次の人の弔意音声が編集される。このようにして記録媒体５に参画希望者全員の弔意音声を弔辞集へ収録することが可能となる。この際、音声の入録場面では収録開始（スイッチオン）から音声入りまで及び、音声終了から収録終了までには間があり、次音声への切り替えは明瞭になる。
【００２３】
　記録媒体５を再生したときに、各弔意音声の終端を音声が遠去るように漸消音するフェードアウト加工を施し、故人を偲ぶ効果を高める（ステップ310）。フェードアウト加工の漸消音の実施例としては図５に示すように音声後端から指定時間前から音声レベルを漸減する。或いは、各音声を音長の中間点での音量が60％となるフェードアウト出力音声とする音声加工により、音声が重ねられた場合でも前の音声の音量が減少され次の音声がより明瞭に意識される。その他の漸消音としては音声が重なった時点で重ねられる側の音声を消去する、或いは音長に応じて漸消音率を変更する等、葬祭の運営に適用できる音声調整パラメータをパラメータ記憶部１５に用意しておき予め目的に応じて選択する。
　フェードアウト加工の漸消音形式としては、時定数回路による漸減、階段的な漸減、直線的な漸減法があるが、音声情報処理装置１０のハードウエアに適するものを採用すればよい。
【００２４】
　また、弔辞集を再生したときの荘厳な雰囲気を演出するための出力音声の音量や音調等に調整加工する（ステップ310）。この音調やバックグランド音楽はステップ301で選択設定できるようにしてある。
　以上のようにして加工・編集された弔意音声を記録媒体５に書き込み弔辞集の作成が完了する。
【実施例２】
【００２５】
　葬祭運営において効果的演出をするために葬祭運営スケジュールの中で葬祭参列者から収録した「お別れの言葉」を再生放送することが望まれる。
　葬祭運営スケジュール中で予め設定されている霊柩車出発前後の定められた予定時間内＝放送許容時間Ｗ（例えば３〜５分間）に、収録した「お別れの言葉」を、入録者夫々が自分の「お別れの言葉」であると聞き分けられる程度に再生する。葬祭運営者は、出棺時までに、音声編集再生機器により編集・加工しこれを再生放送する。
　葬祭参列者からの「お別れの言葉」の収録及び弔意音声データファイル１１の生成は上記実施 例１と同様であり説明を省略する。
【００２６】
　弔意音声放送の放送用ファイル６の編集について図６のフローチャート、図７、図８の編集模式図を用いて説明する。放送用ファイル６の編集プログラムは音声情報処理装置１０のＣＰＵに付随する弔意放送編集プログラム１３に格納されている。
【００２７】
　まず、葬祭運営スケジュール中での放送許容時間Ｗ、同時放送可能な放送設備数（編集トラック数Ｎ）、放送する故人を偲ぶ音声感の音量や音調等の弔意音声放送編集条件、件の編集パラメータ等をキーボード１４から入力設定する(ステップ301)。入力された集編集条件、編集のパラメータはパラメータ記憶部１５に記憶される（ステップ601）。
【００２８】
　次に、葬祭参列者からの「お別れの言葉」の収録が終わって集約された弔意音声データファイル１１に収録された弔意音声放送に参加要の音声時間を集計し累計音声時間Ｖを求め、放送許容時間Ｗと対比して、重複比率ｈ＝累計音声時間Ｖ／（放送許容時間Ｗ）＊（同時放送トラック数Ｎ）を求める（ステップ602,603）。ここでトラック数Ｎは同時に異なった弔意音声を放送した際に入録者が自分の音声を聞き分けることができ自分の言葉が聞き取れて、見送る実感を得ることができるようにするためには６トラック程度までが好ましい。
【００２９】
　放送設備数（トラック数）が１台で放送参加件数が少なく重複比率ｈ＜１．０となるときは、放送許容時間Ｗに対して弔意音声の放送時間が余る状態のため、図７に示すように弔意音声を繰り返し使用して放送許容時間Ｗを充足する（ステップ604〜606）。トラック数が２以上の複数の場合で延べ放送許容時間（Ｗ＊Ｎ）に対し放送参加件数が更に少なく放送時間が大幅に余るときは放送トラック数の減数を指示する。
【００３０】
　そして、パラメータの一つであるトラック数の変更をインプットして再度の編集処理を行う。トラック数の減数の判定は延べ放送許容時間（Ｗ＊Ｎ）に対して累計音声時間Ｖの充足率が６５％以下（重複比率ｈ＜０．６５）としている。これは、充足のために繰り返し使用する弔意音声を全体の１／３以下に抑制したいためである（ステップ607〜608）。
【００３１】
　重複比率ｈが１．０＜ｈ＜２.０のときは収録された全部の弔意音声が放送できるよう弔意音声データファイル１１内の各弔意音声Ｔの後端を棄却処理編集して放送許容時間Ｗ内に収める（ステップ610）。この音声後端棄却処理は上記実施 例１での説明と同様であり、各弔意音声Ｔの始めからｔ（ｔ＝Ｔ／ｈ）時間だけを残存させ次の弔意音声上書き編集をする（図４参照）。このようにして放送許容時間Ｗ内に放送希望者の弔意音声を全て放送することが可能となる。
【００３２】
　自分の弔意音声の半分以上が棄却され放送されると、収録参加者の弔辞の意が解り難くなる。そこで、重複比率ｈが大きく（例えばｈ＞２．０）棄却部が多くなるときは各弔意音声の棄却度を低減する方が望ましい。この実施例においては重複比率ｈ＞２．０ではトラック数Ｎの増加、または及び放送許容時間Ｗの若干の延長を指示する。この指示により操作者はトラック数増、許される範囲での放送許容時間Ｗの延長（例えば１０〜３０秒延長）に編集条件、件のパラメータを変更インプットする。この新しい編集条件、件のパラメータで編集処理を再実行する。トラック数増、放送許容時間Ｗの延長により重複比率ｈがｈ＜２．０になればステップ610の編集処理となる（ステップ609、611）。
【００３３】
　ステップ610における弔意音声を複数トラックに分割編集を図８を用いて詳細説明する。まず、弔意音声データファイル１１内の累計音声時間Ｖをトラック数であるＮで等分する。（図８は３トラックの例を示す）
　等分された弔意音声累計時間（Ｖ／Ｎ）を単独で見れば、放送許容時間Ｗに対してＷ＜（Ｖ／Ｎ）の状態であり、「（Ｖ／Ｎ）／Ｗ」は上記実施 例１での説明の超過比率ｈに相当し、該実施 例２における重複比率ｈと数値は同一である。従って、各トラックにおいて各弔意音声Ｔの始めからｔ（ｔ＝Ｔ／ｈ）時間分だけ経過した所から次の弔意音声上書き編集をする。このようにして各トラックに放送許容時間Ｗに編集される。
【００３４】
　また、収録した弔意音声放送希望が多数であって、葬祭運営スケジュールの時間制約から所望の放送許容時間Ｗの延長が困難、前述したようにトラック数の上限は６としているが、各トラック対応に放送装置７とスピーカが必要である。葬祭運営場所的制約からスピーカを含む放送装置７の設置数が少数台（２〜４台）で弔意音声放送をせざるを得ない場合が生ずる。スピーカ設置数、可能延長した放送許容時間Ｗに編集条件、件のパラメータを現地実情に合わせて変更インプットして再度の編集処理を行って重複比率ｈ＞２．０の状況となることがある。葬祭運営者には収録した弔意音声には長短があるが、放送希望の弔意音声を全て編集放送する義務もある。
【００３５】
　そこで各弔意音声の内、音声開始から数秒（５〜８秒）を放送確保して、残りを各弔意音声の長さに対応させて強制縮減して、放送許容時間Ｗ内に編集する（ステップ614）。この処理の詳細について図９、図１０を用いて説明する。図９は強制縮減処理のフローチャート、図１０は強制縮減編集の模式図である。
【００３６】
　ステップ601の編集条件、件の編集パラメータ入力時に弔意音声放送の強制縮減編集における各弔意音声の放送確保時間Ｔｏ、利用可能な放送設備数（トラック数Ｎ）等を設定入力して、パラメータ記憶部１５に記憶させておく。
　まず、弔意音声データファイル１１内の累計音声時間Ｖを放送可能なトラック数であるＮで等分する（ステップ901）。各等分された弔意音声累計時間（Ｖ／Ｎ）内の音声参加者の音声件数ｎをそれぞれカウントする（ステップ902）。そして、
放送許容時間Ｗに対して放送確保時間Ｔｏと音声件数ｎの積を求め、放送許容時間Ｗと対比する（ステップ903）。ｎ＊Ｔｏ＞Ｗのときは音声件数ｎが放送許容時間Ｗ内に収まらないのでｎ＊Ｔｏ＜Ｗになるように放送確保時間Ｔｏの短縮を指示してパラメータの変更入力する（ステップ904）。
【００３７】
　ｎ＊Ｔｏ＜Ｗになると放送許容時間Ｗ及び等分された弔意音声累計時間（Ｖ／Ｎ）から放送確保時間Ｔｏと音声件数ｎの積をそれぞれ除いた部分の比率である縮減率ｋ＝（Ｗ−ｎ＊Ｔｏ）／（Ｖ／Ｎ−ｎ＊Ｔｏ）を算定する（ステップ905）。
そして、各弔意音声の時間Ｔは放送確保時間Ｔｏを確保して、残り部分（Ｔ−Ｔｏ）に上記縮減率ｋを乗じた時間を追加した間を放送対象の音声にする（ステップ906、907）。各人の放送対象の音声時間はＴｏ+（Ｔ−Ｔｏ）＊ｋで示され、この模式を図１０に示す。
　このようにして、収録した弔意音声全件はその個々の弔意時に長短あっても最低の放送確保時間Ｔｏは放送の対象とすることができる。
【００３８】
　以上により、放送許容時間Ｗ内に収めた放送弔意音声を放送再生したときに、故人を偲ぶ効果を高めるフェードアウト加工、及び放送の荘厳な雰囲気を演出するための出力音声の音量や音調、バックグランド音楽等の加工調整は上記実施 例１の図５、ステップ309,310での説明と同様のため説明を省略する。
【００３９】
　加工調整された放送用弔意音声は放送可能なトラックＮに各対応した放送用ファイル６に編集され、葬祭運営スケジュールの定められた時刻（例えば霊柩車出発時刻に合わせて）の割り当てられた放送許容時間内に複数の放送装置７から同時に収録量が終了するまで放送出力する。複数の同時放送であるが収録者夫々の「お別れの言葉」は十分に聞き取りできて、自分の音声部分の再生を聞くことが可能である。
　尚、本例ではＶをＮ等分してからＷ＜（Ｖ／Ｎ）の処理で説明したが、全体を
Ｗ*Ｎ＜Ｖと考え同様に処理した後これをＮ分割するが、その際は分割点に近い音声の切れ目で分ける。トラック毎の長さに差異はあるが言を分断せずに済む。
【実施例３】
【００４０】
　上記実施例２は、弔意音声の収録が終わってから弔意音声データファイル１１に一旦取り込んで放送許容時間内に編集しているが、該実施 例３においては弔意音声の収録の都度に放送許容時間内へ編集する形態を図１１の構成ブロック図、図１２のフローチャート、図１３、図１４の編集模式図を用いて説明する。図において、前述と同じ符号は同様機能のものである。
　参列者の「お別れの言葉」はマイクロフォン１から入録され、音声一時記録部２1に一時記録される。マイクロフォン１のスイッチに連動した信号により、収録音声の所要時間Ｔが計時され、弔意音声のスタート、エンド符号を印付けるとともに過去収録分と合計の所要時間累計Ｖ（Ｖ＝Ｖ+Ｔ）を求める（ステップ201）。音声一時記録部２1の弔意音声はその所要時間Ｔの値とともに音声編集ファイル２２へ書き込まれる（ステップ202）。
【００４１】
　次に、予めパラメータとして設定されている放送許容時間Ｗと所要時間累計Ｖを対比する（ステップ203）。Ｗ＞Ｖのときは時間余裕があるので、音声編集ファイル２２の弔意音声に前述の図５、ステップ310で説明の故人を偲ぶ効果を高めるフェードアウト加工を施し、Ｗ＜Ｖになるまでは弔意音声は縮減されず、次々と弔意音声の書き込みをする。
　放送許容時間Ｗ＞所要時間累計Ｖの状態で弔意音声の参加者が最後の人となったときは、図１３の模式に示す放送用ファイル６が編集される。ここで弔意音声が無い余剰時間部に既収録音声を再収録して放送許容時間Ｗいっぱいに放送音声を充足しても良い。
【００４２】
　放送許容時間Ｗ＜所要時間累計Ｖとなったときの弔意音声を縮減して放送許容時間Ｗ内に収める処理を図１４を参照説明する。放送許容時間Ｗ＝所要時間累計Ｖを超えた以降に入録される弔意音声時間Ｔｎを用いて、累計超過比率ｈ＝（Ｖ+Ｔｎ）／Ｗを算定、そして音声縮減率ｊ＝Ｗ／（Ｗ+Ｔｎ）を算定する（ステップ204、205）。音声編集ファイル２２に編集されている各弔意音声時間Ｔに音声縮減率ｊを乗じて縮減後の各弔意音声時間tを得る（ステップ206）。各弔意音声は先頭から時間tだけの音声を残存させて以降は棄却する。縮減後の各弔意音声時間tの合計Σtは放送許容時間Ｗより短縮されている。新たに入録される弔意音声時間Ｔｎを累計超過比率ｈによりt＝Ｔｎ／ｈとして全体の縮減割合に対応縮減して短縮された位置へ収める（ステップ207）。縮減されて放送許容時間Ｗに縮減された各弔意音声は前述の図５、ステップ310で説明の故人を偲ぶ効果を高めるフェードアウト加工を施し音声編集ファイル２２に収録される。以下、新たに弔意音声が入録される都度上記のステップが繰り返されて放送許容時間Ｗの音声編集ファイル２２が得られる。弔意音声の参加者がなくなったときは、放送用ファイル６が編集され葬祭運営スケジュールの定められた時刻（例えば霊柩車出発時刻に合わせて）放送出力する（ステップ208、209）。
【００４３】
　放送許容時間Ｗ内に数多くの弔意音声を縮減収録すると、過密で弔意の表出が不十分となるので、累計超過比率ｈを用いて過密度判定する。許容過密度は編集パラメータで設定しておいて、許容過密度オーバーになると複数同時放送の許される放送装置７数にあわせて複数の放送用ファイル６を生成することもできる。
【００４４】
　上記音声の編集・加工は磁気テープを主体にしたマルチチャンネルの音声編集機器でも可能であるが、葬祭運営の受け付け開始から葬祭運営スケジュールにおける定められた時刻（例えば霊柩車出発時に）までの短時間に編集・加工を実行する必要からＣＰＵを備えた音声情報処理装置とすることが望ましい。
　また、ＣＰＵを備えた音声情報処理装置とすることで、葬儀の運営企画に合わせて音声の出力時間、音量、音程等の編集条件を随意に設定、変更が可能である。
　弔意音声は、例えばバックグランド音楽のように、随時に音調を考慮して放送し葬祭の雰囲気醸成に役立ててもよい。
【図面の簡単な説明】
【００４５】
【図１】この発明の実施 例１の葬祭運営用の音声情報処理装置の構成を示すブロック図である。
【図２】この発明の実施 例１の弔意音声データファイルの構成を示す図である。
【図３】この発明の弔辞集の編集フローチャートである。
【図４】この発明の弔辞集の編集模式図である。
【図５】この発明の弔意音声のフェードアウト加工模式図である。
【図６】この発明の実施 例２の放送用ファイル編集のフローチャートである。
【図７】この発明の放送用ファイルの充足編集模式図である。
【図８】この発明の放送用ファイルの縮減編集模式図である。
【図９】この発明の放送用ファイルの強制縮減処理フローチャートである。
【図１０】この発明の放送用ファイルの強制縮減編集の模式図である。
【図１１】この発明の実施 例３の葬祭運営用の音声情報処理構成を示すブロック図である。
【図１２】この発明の実施 例３の放送用ファイル編集のフローチャートである。
【図１３】この発明の実施 例３の放送用ファイルの編集模式図である。
【図１４】この発明の実施 例３の放送用ファイルの編集模式図である。
【符号の説明】
【００４６】
　　１　マイクロフォン、２　録音装置、３　参画選択ボタン、
　　４　補助入力装置、５　記録媒体、６　放送用ファイル、７　放送装置
　　１０　音声情報処理装置、１１　弔意音声データファイル、
　　１２　弔辞集編集プログラム、１３　弔意放送編集プログラム、
　　１４　キーボード、１５　パラメータ記憶部、２１　音声一時記録部、
　　２２　音声編集ファイル、
【図１】
2004055133.tif 000003
【図２】
2004055133.tif 000004
【図３】
2004055133.tif 000005
【図４】
2004055133.tif 000006
【図５】
2004055133.tif 000007
【図６】
2004055133.tif 000008
【図８】
2004055133.tif 000009
【図９】
2004055133.tif 000010
【図１１】
2004055133.tif 000011
【図１２】
2004055133.tif 000012
【図１３】
2004055133.tif 000013
【図１４】
2004055133.tif 000014
【図７】
2004055133.tif 000015
【図１０】
2004055133.tif 000016
【手続補正書】
【提出日】平成15年9月4日(2003.9.4)
【手続補正１】
【補正対象書類名】特許請求の範囲
【補正対象項目名】請求項１
【補正方法】変更
【補正の内容】
【請求項１】
　多数の葬祭参加者の弔意音声とその音声個々の所要時間とを収録・計時し、上記所要時間の累計に基づいて弔辞集用記録媒体の時間容量に対応させた長さに編集して弔辞集用記録媒体に弔辞集として編集出力することを特徴とする葬祭運営用の音声情報処理装置。　
【手続補正２】
【補正対象書類名】特許請求の範囲
【補正対象項目名】請求項３
【補正方法】変更
【補正の内容】
【請求項３】
　多数の葬祭参加者の弔意音声とその音声個々の所要時間とを収録・計時し、上記所要時間の累計に基づき葬祭の進行に割り当てられた弔意音声放送許容時間に対応させて加工・編集して、葬祭の進行段階に応じて弔意音声を放送出力することを特徴とする葬祭運営方法。
【手続補正３】
【補正対象書類名】特許請求の範囲
【補正対象項目名】請求項９
【補正方法】変更
【補正の内容】
【請求項９】
　弔意音声の加工・編集ルールに、個々の弔意音声の後部を漸消音するフェードアウト加工のステップを含むことを特徴とする請求項１記載の音声情報処理装置および請求項５〜８記載の葬祭運営方法。
【手続補正４】
【補正対象書類名】明細書
【補正対象項目名】０００７
【補正方法】変更
【補正の内容】
【０００７】
　第１の発明は、多数の葬祭参加者の弔意音声とその音声個々の所要時間とを収録・計時し、上記所要時間の累計に基づいて弔辞集用記録媒体の時間容量に対応させた長さに編集して弔辞集用記録媒体に弔辞集として編集出力することを特徴とする葬祭運営用の音声情報処理装置である。
第２の発明は、葬祭参加者の弔意言語音声収録時に収録音声の弔辞集への登録の可否を選定する手段を備えたことを特徴とする発明１に示す葬祭運営用の音声情報処理装置である。
第３の発明は、多数の葬祭参加者の弔意音声とその音声個々の所要時間とを収録・計時し、上記所要時間の累計に基づき葬祭の進行に割り当てられた弔意音声放送許容時間に対応させて加工・編集して、葬祭の進行段階に応じて弔意音声を放送出力することを特徴とする葬祭運営方法である。
【手続補正５】
【補正対象書類名】明細書
【補正対象項目名】００１４
【補正方法】変更
【補正の内容】
【００１４】
　図１はこの発明の実施 例1の「葬祭運営用の音声情報処理装置」の構成を示すブロック図、図２は弔意音声データファイルの構成を示す図である。
　まず、葬祭参加者は、故人の遺影等が飾られ、参加者が故人と個別に対面できる感じに演出され、音声が他所へ漏れないような遮音構造になった葬祭場内に設けられた区画内において、故人への「お別れの言葉」例えば、「安らかにお休み下さい」「お世話になりました」等各人夫々自分の弔意音声の言葉を、区画内に設置された入力装置であるマイクロフォン１から収録する。区画およびマイクロフォン１は参加者の人数に対応させて複数設置する。
　このお別れの言葉の収録は、参加者全員に任意で故人への弔辞を述べる機会を提供するものである。
【手続補正６】
【補正対象書類名】明細書
【補正対象項目名】００２０
【補正方法】変更
【補正の内容】
【００２０】
　超過比率ｈ＜１．０のときは記録容量時間Ｓ＞累計音声時間Ｌであり弔辞集へ編集予定の全弔意音声は記録媒体５にすべて記録可能であり弔辞集編集作業に進む。超過比率ｈ＞１．０の場合は累計音声時間Ｌが記録容量時間Ｓを超過しているので超過度により、記録容量の大きい記録媒体に変更するか、弔意音声の一部を棄却して収録するかを判定する（ステップ304，305）。
　全弔意音声をそのまま収録することを主に運営する場合には長大な記録媒体への編集となる。記録媒体の変更と共に弔辞集編集条件と編集パラメータの設定変更をして、変更後の条件と編集パラメータの設定とで超過度が再判定されるので超過比率ｈ＜１．０となる容量の記録媒体を再準備させる（ステップ306）。この場合複数の記録媒体へ編集もあり得る。
【手続補正７】
【補正対象書類名】明細書
【補正対象項目名】００２２
【補正方法】変更
【補正の内容】
【００２２】
　ステップ309の縮減編集について図４を用いて詳細説明をする。弔意音声データファイル１１に収録された弔意音声の各所要時間(Ａ氏の言葉＝Ｔａ、Ｃ氏の言葉＝Ｔｃ・・・)各個を、ステップ303にて求めた超過比率ｈで除算して、弔辞集への編集許容時間（ｔａ＝Ｔａ／ｈ、ｔｃ＝Ｔｃ／ｈ・・・）を定める。そして、各弔意音声に付けられている音声スタート印を基準に各弔意音声の先頭から各編集許容時間分の言葉の位置まで残存させ、各弔意音声の編集許容時間以降が棄却され、次の人の弔意音声が編集される。このようにして記録媒体５に参画希望者全員の弔意音声を弔辞集へ収録することが可能となる。この際、音声の入録場面では収録開始（マイクのスイッチオン）から音声入りまでに若干の間隙があり、次音声への切り替わりは明瞭である。
【手続補正８】
【補正対象書類名】明細書
【補正対象項目名】００２３
【補正方法】変更
【補正の内容】
【００２３】
　記録媒体５を再生したときに、各弔意音声の終端を音声が遠ざかるように漸消音するフェードアウト加工を施し、故人を偲ぶ効果を高める（ステップ310）。フェードアウト加工の漸消音の実施例としては図５に示すように音声後端から指定時間前より音声レベルを漸減する。或いは、各音声を音長の中間点での音量が例えば60％となるフェードアウト出力音声とする音声加工により、音声が重ねられた場合でも前の音声の音量が減少され次の音声がより明瞭に意識される。その他の漸消音としては音声が重なった時点で重ねられる側の音声を消去する、或いは音長に応じて漸消音率を変更する等、葬祭の運営に適用できる音声調整パラメータをパラメータ記憶部１５に用意しておき予め目的に応じて選択する。音声の棄却及び音声調整はこれらでおこなう。
　フェードアウト加工の漸消音形式としては、時定数回路による漸減、階段的な漸減、直線的な漸減法があるが、音声情報処理装置１０のハードウエアに適するものを採用すればよい。
【手続補正９】
【補正対象書類名】明細書
【補正対象項目名】００２４
【補正方法】変更
【補正の内容】
【００２４】
　また、弔辞集を再生したときの荘厳な雰囲気を演出するための出力音声の音量や音調等に調整加工する（ステップ311）。この音調やバックグランド音楽はステップ301で選択設定できるようにしてある。
　以上のようにして加工・編集された弔意音声を記録媒体５に書き込み弔辞集の作成が完了する。
【手続補正１０】
【補正対象書類名】明細書
【補正対象項目名】００２７
【補正方法】変更
【補正の内容】
【００２７】
　まず、葬祭運営スケジュール中での放送許容時間Ｗ、同時放送可能な放送設備数（編集トラック数Ｎ）、放送する故人を偲ぶ音声感の音量や音調等の弔意音声放送編集条件、条件の編集パラメータ等をキーボード１４から入力設定する。入力された編集条件、編集パラメータはパラメータ記憶部１５に記憶される（ステップ601）。
【手続補正１１】
【補正対象書類名】明細書
【補正対象項目名】００３１
【補正方法】変更
【補正の内容】
【００３１】
　重複比率ｈが１．０＜ｈ＜２.０のときは収録された全部の弔意音声が放送できるよう弔意音声データファイル１１内の各弔意音声Ｔの後端を棄却処理編集して放送許容時間Ｗ内に収める（ステップ610）。この音声後端棄却処理は上記実施 例１での説明と同様であり、各弔意音声Ｔの始めからｔ（ｔ＝Ｔ／ｈ）時間だけを残存させ、余剰分は棄却するか或いは棄却に代えて次の弔意音声を上書き編集をする（図４参照）。このようにして放送許容時間Ｗ内に放送希望者の弔意音声を全て放送することが可能となる。
【手続補正１２】
【補正対象書類名】明細書
【補正対象項目名】００３２
【補正方法】変更
【補正の内容】
【００３２】
　自分の弔意音声の半分以上が棄却され放送されると、収録参加者の弔辞の意が解り難くなる。そこで、重複比率ｈが大きく（例えばｈ＞２．０）棄却部が多くなるときは各弔意音声の棄却度を低減する方が望ましい。この実施例においては重複比率ｈ＞２．０ではトラック数Ｎの増加、または及び放送許容時間Ｗの若干の延長を指示する。この指示により操作者はトラック数増、許される範囲での放送許容時間Ｗの延長（例えば１０〜３０秒延長）に編集条件、編集パラメータを変更インプットする。この新しい編集条件、編集パラメータで編集処理を再実行する。トラック数増、放送許容時間Ｗの延長により重複比率ｈがｈ＜２．０になればステップ610の編集処理となる（ステップ609、611）。
【手続補正１３】
【補正対象書類名】明細書
【補正対象項目名】００３３
【補正方法】変更
【補正の内容】
【００３３】
　ステップ610における弔意音声の複数トラックへの分割編集について図８を用いて詳細説明する。まず、弔意音声データファイル１１内の累計音声時間Ｖをトラック数であるＮで等分する。（図８は３トラックの例を示す）
等分された弔意音声累計時間（Ｖ／Ｎ）を単独で見れば、放送許容時間Ｗに対してＷ＜（Ｖ／Ｎ）の状態であり、「（Ｖ／Ｎ）／Ｗ」は上記実施 例１での説明の超過比率ｈに相当し、該実施 例２における重複比率ｈと数値は同一である。従って、各トラックにおいて各弔意音声Ｔの始めからｔ（ｔ＝Ｔ／ｈ）時間分だけ経過した所から次の弔意音声上書き編集をする。このようにして各トラックは放送許容時間Ｗに編集される。
【手続補正１４】
【補正対象書類名】明細書
【補正対象項目名】００３４
【補正方法】変更
【補正の内容】
【００３４】
　また、収録した弔意音声放送希望が多数であって、葬祭運営スケジュールの時間制約から所望の放送許容時間Ｗの延長が困難、前述したようにトラック数の上限は６としているが、各トラック対応に放送装置７とスピーカが必要である。葬祭運営場所的制約からスピーカを含む放送装置７の設置数が少数台（２〜４台）で弔意音声放送をせざるを得ない場合が生ずる。スピーカ設置数、可能延長した放送許容時間Ｗに編集条件、編集パラメータを現地実情に合わせて変更インプットして再度の編集処理を行って重複比率ｈ＞２．０の状況となることがある。葬祭運営者には収録した弔意音声には長短があるが、放送希望の弔意音声を全て編集放送する義務もある。
【手続補正１５】
【補正対象書類名】明細書
【補正対象項目名】００３６
【補正方法】変更
【補正の内容】
【００３６】
　ステップ601の編集条件、編集パラメータ入力時に弔意音声放送の強制縮減編集における各弔意音声の放送確保時間Ｔｏ、利用可能な放送設備数（トラック数Ｎ）等を設定入力して、パラメータ記憶部１５に記憶させておく。
　まず、弔意音声データファイル１１内の累計音声時間Ｖを放送可能なトラック数であるＮで等分する（ステップ901）。各等分された弔意音声累計時間（Ｖ／Ｎ）内の音声参加者の音声件数ｎをそれぞれカウントする（ステップ902）。そして、放送許容時間Ｗに対して放送確保時間Ｔｏと音声件数ｎの積を求め、放送許容時間Ｗと対比する（ステップ903）。ｎ＊Ｔｏ＞Ｗのときは音声件数ｎが放送許容時間Ｗ内に収まらないのでｎ＊Ｔｏ＜Ｗになるように放送確保時間Ｔｏの短縮を指示してパラメータの変更入力する（ステップ904）。
【手続補正１６】
【補正対象書類名】明細書
【補正対象項目名】００３８
【補正方法】変更
【補正の内容】
【００３８】
　以上により、放送許容時間Ｗ内に収めた放送弔意音声を放送再生したときに、故人を偲ぶ効果を高めるフェードアウト加工、及び放送の荘厳な雰囲気を演出するための出力音声の音量や音調、バックグランド音楽等の加工調整は上記実施 例１の図５および、ステップ310, 311での説明と同様のため説明を省略する。
【手続補正１７】
【補正対象書類名】明細書
【補正対象項目名】００３９
【補正方法】変更
【補正の内容】
【００３９】
　加工調整された放送用弔意音声は放送可能なトラックＮに各対応した放送用ファイル６に編集され、葬祭運営スケジュールの定められた時刻（例えば霊柩車出発時刻に合わせて）の割り当てられた放送許容時間内に複数の放送装置７から同時に収録量が終了するまで放送出力する。これにより収録者全員の音声が放送されるので、複数の同時放送であるが収録者夫々の「お別れの言葉」は十分に聞き取りできて、自分の音声部分の再生を聞くことが可能である。若し仮に、放送音声が聞き分けられない場合であっても、自己の音声が一連の放送音声中に含まれることで自分の言葉で見送った満足感は得ることができる。
尚、本例ではＶをＮ等分するように、Ｗ＜（Ｖ／Ｎ）の処理をする説明としたが、全体をＷ*Ｎ＜Ｖと考えて後からＮ分割するようにしてもよい。その際は分割点に近い音声の切れ目で分割する。トラック毎の収録長さに若干の差を生ずるが言葉を分断せずに済む。
【手続補正１８】
【補正対象書類名】明細書
【補正対象項目名】００４２
【補正方法】変更
【補正の内容】
【００４２】
　放送許容時間Ｗ＜所要時間累計Ｖとなったときに弔意音声を縮減して放送許容時間Ｗ内に収める処理を、図１４を参照説明する。説明において大文字Ｔは入録生音声時間、小文字ｔは縮減後の音声時間を示す。
放送許容時間Ｗ＝所要時間累計Ｖを超えた以降に入録される弔意音声時間Ｔｎを用いて、累計超過比率ｈ＝（Ｖ+Ｔｎ）／Ｗを算定、そして音声縮減率ｊ＝Ｗ／（Ｗ+Ｔｎ）を算定する（ステップ204、205）。音声編集ファイル２２に編集されている各弔意音声時間Ｔに音声縮減率ｊを乗じて縮減後の各弔意音声時間ｔ（ｔＡ，ｔＢ，ｔＣ・・・）を得る（ステップ206）。各弔意音声は先頭から時間tだけの音声を残存させて以降は棄却する。縮減後の各弔意音声時間tの合計をＺtとすると、Ｚｔは放送許容時間Ｗより短縮されている。新たに入録される弔意音声時間Ｔｎを累計超過比率ｈによりt＝Ｔｎ／ｈとして全体の縮減割合に対応縮減して短縮された間隙へ収める（Ｗ＝Ｚｔ＋Ｔｎ／ｈ＝ｔＡ＋ｔＢ＋ｔＣ・・・・・＋Ｔｎ／ｈ）。
　さらに次の弔意音声入録があると、新たな累計超過比率ｈ＝（Ｖ＋Ｔｎ+1）／Ｗ、音声縮減率ｊ＝Ｗ／（Ｗ＋Ｔｎ+1）を算定して、ステップ206の処理を実行する。これにより既入録の音声Ｚｔを（Ｚｔ＝ｊ＊Ｚｔ＝ｔＡ＊ｊ＋ｔＢ＊ｊ＋・・・＋ｔＮ＊ｊ）に縮減して、その間隙へ縮減した新たな入録音声ｔＮ＋1＝Ｔｎ＋１／ｈを収める。
そして、縮減されて放送許容時間Ｗに縮減された各弔意音声は前述の図５、ステップ310で説明の故人を偲ぶ効果を高めるフェードアウト加工を施し音声編集ファイル２２に収録される。以下、新たに弔意音声が入録される都度上記のステップが繰り返されて放送許容時間Ｗの音声編集ファイル２２が得られる。弔意音声の参加者がなくなったときは、放送用ファイル６が編集され葬祭運営スケジュールの定められた時刻（例えば霊柩車出発時刻に合わせて）放送出力する（ステップ208、209）。